(57)【要約】      （修正有）【課題】光を分散することができ、且つ放熱効果が高められたランプカバー及び該ランプカバーを備える照明装置の提供する。【解決手段】両端にそれぞれ第１の開口２１１と第２の開口２１２とが形成されている中空管状壁２１と、一側面が陥凹し、他側面が突出するドーム状に形成され、前記中空管状壁の内壁面と隙間があって直接に接触せず、且つ前記一側面が前記第１の開口に面し、前記他側面が前記第２の開口に面するように前記中空管状壁の管内にカバー本体２２を配置する。さらに、前記隙間を跨って前記中空管状壁と前記カバー本体とを繋げると共に、前記中空管状壁と前記カバー本体との間に複数の通気口２４を画成するように形成されている複数の連結棒２３と、を備えるように、光が通過できる材料により一体に作製してランプカバーを形成する。【選択図】図４
0003169871.tif 000002
【実用新案登録請求の範囲】
【請求項１】
両端にそれぞれ第１の開口と第２の開口とが形成されている中空管状壁と、
一側面が陥凹し、他側面が突出するドーム状に形成され、前記中空管状壁の内壁面と隙間があって直接に接触せず、且つ前記一側面が前記第１の開口に面し、前記他側面が前記第２の開口に面するように前記中空管状壁の管内に配置されているカバー本体と、
前記隙間を跨って前記中空管状壁と前記カバー本体とを繋げると共に、前記中空管状壁と前記カバー本体との間に複数の通気口を画成するように形成されている複数の連結棒と、を備えるように、光が通過できる材料により一体に作製されたことを特徴とするランプカバー。
【請求項２】
前記中空管状壁は中空円柱体に形成されており、前記第１の開口及び前記第２の開口はそれぞれ円形に形成されている上、前記第１の開口及び前記第２の開口の中心を繋ぐ軸線が、前記ドーム状のカバー本体の突出する球面の中心を通過するように配置及び構成されていることを特徴とする請求項１に記載のランプカバー。
【請求項３】
前記中空管状壁の前記第２の開口が形成されている端部に、前記第２の開口の中心の方へ斜めに延伸する縮径部が形成されていることを特徴とする請求項１または請求項２に記載のランプカバー。
【請求項４】
前記カバー本体の突起面に、更に複数の半球面突起が形成されていることを特徴とする請求項１〜請求項３のいずれか一項に記載のランプカバー。
【請求項５】
前記縮径部の前記カバー本体に面していない面に、更に複数の半球面突起が形成されていることを特徴とする請求項４に記載のランプカバー。
【請求項６】
前記中空管状壁の前記第１の開口の周縁に、取り付け用のフックが形成されていることを特徴とする請求項１〜請求項５のいずれか一項に記載のランプカバー。
【請求項７】
請求項１〜請求項６のいずれか一項に記載のランプカバーを備えている照明装置。
【請求項８】
回路基板と、前記回路基板に取り付けられている少なくとも１つの発光ダイオードモジュールと、を備えていることを特徴とする請求項７に記載の照明装置。
【請求項９】
前記ランプカバーが取り付けられている第１の支持フレームと、前記第１の支持フレームに固定されていると共に、前記回路基板を支持している第２の支持フレームと、を更に備えていることを特徴とする請求項８に記載の照明装置。
【請求項１０】
前記第１及び第２の支持フレームと前記回路基板とには、互いに連通しあっている通孔がそれぞれ形成されていることを特徴とする請求項９に記載の照明装置。
【考案の詳細な説明】
【技術分野】
【０００１】
本考案はランプカバー及び該ランプカバーを備える照明装置に関し、特に、光を分散することができ、且つ放熱効果が高められたランプカバー及び該ランプカバーを備える照明装置に関する。
【背景技術】
【０００２】
図１及び図２では発光ダイオードモジュールを採用した従来の電球式照明装置の構成例が示されている。図示のように、該電球式照明装置１では、複数の放熱フィン１１３が形成されている口金部１１の上端面１１１に複数の発光ダイオードモジュール１２を設置し、カバー１３は、その開口縁１３１で口金部１１に取り付けられている。
【０００３】
この従来の電球式照明装置は、発光ダイオードモジュール１２が作動中において生じる熱を口金部１１に形成されている複数の放熱フィン１１３で外部の空気に放熱させるが、カバー１３側では放熱効果を高める要素を特に備えていない。
【考案の概要】
【考案が解決しようとする課題】
【０００４】
上記のように、従来の電球式照明装置に用いられるカバーは、外部に射出する光の色や角度を調整する機能を備えることが普通であるが、放熱効果を高める機能を備えるものは存在しない。
【０００５】
本考案はこの点に着眼し、光を分散することができ、且つ放熱効果が高められたランプカバー及び該ランプカバーを備える照明装置の提供を目的とする。
【課題を解決するための手段】
【０００６】
上記目的を達成すべく、本考案は、両端にそれぞれ第１の開口と第２の開口とが形成されている中空管状壁と、一側面が陥凹し、他側面が突出するドーム状に形成され、前記中空管状壁の内壁面と隙間があって直接に接触せず、且つ前記一側面が前記第１の開口に面し、前記他側面が前記第２の開口に面するように前記中空管状壁の管内に配置されているカバー本体と、前記隙間を跨って前記中空管状壁と前記カバー本体とを繋げると共に、前記中空管状壁と前記カバー本体との間に複数の通気口を画成するように形成されている複数の連結棒と、を備えるように、光が通過できる材料により一体に作製されたことを特徴とするランプカバーを提供する。
【０００７】
上記ランプカバーにおいて、前記中空管状壁は中空円柱体に形成されており、前記第１の開口及び前記第２の開口はそれぞれ円形に形成されている上、前記第１の開口及び前記第２の開口の中心を繋ぐ軸線が、前記ドーム状のカバー本体の突出する球面の中心を通過するように配置及び構成されていることが好ましい。
【０００８】
上記ランプカバーにおいて、前記中空管状壁の前記第２の開口が形成されている端部に、前記第２の開口の中心の方へ斜めに延伸する縮径部が形成されていることが好ましい。
【０００９】
上記ランプカバーにおいて、前記カバー本体の突出面に、更に複数の半球面突起が形成されていることが好ましい。
【００１０】
上記ランプカバーにおいて、前記縮径部の前記カバー本体に面していない面に、更に複数の半球面突起が形成されるように構成されることができる。
【００１１】
上記ランプカバーにおいて、前記中空管状壁の前記第１の開口の周縁に、取り付け用のフックが形成されるように構成されることができる。
【００１２】
また、本考案は上記ランプカバーを備えている照明装置をも提供する。
【００１３】
上記照明装置は、更に回路基板と、前記回路基板に取り付けられている少なくとも１つの発光ダイオードモジュールと、を備えていることが好ましい。
【００１４】
上記照明装置において、前記ランプカバーが取り付けられている第１の支持フレームと、前記第１の支持フレームに固定されていると共に、前記回路基板を支持している第２の支持フレームと、を更に備えていることが好ましい。
【００１５】
上記照明装置において、前記第１及び第２の支持フレームと前記回路基板とには、互いに連通しあっている通孔がそれぞれ形成されていることが好ましい。
【考案の効果】
【００１６】
上記構成により、本考案の放熱装置は、複数の通気口を備えることで、発光手段により加熱されたランプカバーの内側の空気を外部に放出することができると共に、発光手段が射出する光を直接に射出しないように中空管状壁で遮蔽するので、ランプカバーが元来備えるべき光の色や角度を調整する機能をも十分に備えている。
【図面の簡単な説明】
【００１７】
【図１】従来の電球式照明装置の構成例の分解図である。
【図２】従来の電球式照明装置の構成例の部分断面図である。
【図３】本考案のランプカバーの第１の実施形態を備える照明装置の分解図である。
【図４】本考案のランプカバーの第１の実施形態を備える照明装置の断面図である。
【図５】本考案のランプカバーの第１の実施形態を備える照明装置が照明器具に適用される適用例が示されている断面図である。
【図６】本考案のランプカバーの第１の実施形態を備える照明装置が照明器具に適用されるもう１つの適用例が示されている断面図である。
【図７】本考案のランプカバーの第２の実施形態を備える照明装置の分解図である。
【図８】本考案のランプカバーの第２の実施形態を備える照明装置の断面図である。
【図９】本考案のランプカバーの第２の実施形態を備える照明装置が照明器具に適用される適用例が示されている断面図である。
【図１０】本考案のランプカバーの第２の実施形態を備える照明装置が照明器具に適用されるもう１つの適用例が示されている断面図である。
【図１１】本考案のランプカバーの第３の実施形態を備える照明装置の断面図である。
【考案を実施するための形態】
【００１８】
以下は各図面を参照しながら、本考案の各好ましい実施形態について詳しく説明する。
【００１９】
図３、図４では本考案のランプカバーの第１の実施形態を備える照明装置の構成が示されており、図示のように、該照明装置は、複数の通孔４１１と複数の係止孔４１２とを有するように形成されている第１の支持フレーム４１と、複数の通孔４２１を有するように形成されていると共に、第１の支持フレーム４１に固定されている第２の支持フレーム４２と、複数の通孔３１１が形成されていると共に、第２の支持フレーム４２により支持されている回路基板３１と、回路基板３１に取り付けられている複数の発光ダイオードモジュール３２と、第１の支持フレーム４１に形成されている複数の係止孔４１２にそれぞれ嵌め込んで係合する複数の取り付け用フック２５が形成され、第１の支持フレーム４１に取り付けられているランプカバー２と、を備えている。
【００２０】
ランプカバー２は、中空管状壁２１と、中空管状壁２１の内側に配置されているカバー本体２２と、中空管状壁２１とカバー本体２２とを繋げる複数の連結棒２３と、を主な構成として、光が通過できる材料により一体に作製されている。
【００２１】
中空管状壁２１は、その両端にそれぞれ円形の第１の開口２１１（図３、図４における下端）と円形の第２の開口２１２（図３、図４における上端）とを有する中空円柱体に形成されている。
【００２２】
カバー本体２２は、一側面（図３、図４における下側）が陥凹し、反対側の他側面（図３、図４における上側）が突出するドーム状に形成されていると共に、中空管状壁２１の内壁面２１３と隙間があって直接に接触せず、且つ前記一側面が第１の開口２１１に面し、前記他側面が第２の開口２１２に面するように中空管状壁２１の管内に配置されている。更に、カバー本体２２は、中空管状壁２１の第１の開口２１１及び第２の開口２１２の中心を繋ぐ軸線Ｌが、カバー本体２２の突出する球面の中心を通過するように配置されている。
【００２３】
複数の連結棒２３は、それぞれ中空管状壁２１の内壁面２１３とカバー本体２２の周縁との間の隙間を跨って、中空管状壁２１とカバー本体２２とを繋げると共に、中空管状壁２１とカバー本体２２との間に複数の通気口２４を画成するように形成されている。
【００２４】
このように構成された照明装置は、通気口２４より射出する光を中空管状壁２１で遮蔽することができるので、通気により放熱効果を高めると共に、ランプカバー２が元来備えるべき光の色や角度を調整する機能をも十分に備えている。
【００２５】
また、第１、第２の支持フレーム４１、４２及び回路基板３１にそれぞれ形成されている複数の通孔４１１、４２１、３１１も通気効果をもたらして放熱効果を高めることができる。
【００２６】
このように構成された照明装置は、例えば図５に示されるように、照明器具５において発光ダイオードモジュール３２が上向きになるように配置されても良く、または図６に示されるように、照明器具５において発光ダイオードモジュール３２が下向きになるように配置されても良い。
【００２７】
図７、図８では本考案のランプカバーの第２の実施形態を備える照明装置の構成が示されており、図示のように、該照明装置は、第１の実施形態と類似する構成になっているので、以下ではその相違点について説明する。
【００２８】
本考案のランプカバーの第２の実施形態は、第１の実施形態とほぼ同じ構成になっているが、中空管状壁２１の形状と連結棒２３及び通気口２４の位置とは第１の実施形態と異なっている。
【００２９】
この第２の実施形態において、中空管状壁２１の第２の開口２１２が形成されている端部に、第２の開口２１２の中心の方へ斜めに延伸する縮径部２１４が形成されている。また、この実施状態における連結棒２３は、カバー本体２２の周縁と第２の開口２１２の開口縁とを繋げるように、上下向きになるように延伸しているので、通気口２４も略左右向きになるように画成されている。
【００３０】
図９、図１０に示されているように、この第２の実施形態のランプカバーを備える照明装置も照明器具５において発光ダイオードモジュール３２が上向きになるように配置されても良く、下向きになるように配置されても良い。
【００３１】
図１１では本考案のランプカバーの第３の実施形態を備える照明装置の構成が示されており、図示のように、該照明装置は、第２の実施形態と類似する構成になっているので、以下ではその相違点について説明する。
【００３２】
即ち、本考案のランプカバーの第３の実施形態は、カバー本体２２の突出面に、更に複数の半球面突起２２１が形成され、縮径部２１４のカバー本体２２に面していない面に、更に複数の半球面突起２１５が形成されている。この半球面突起２２１、２１５は、プリズムの機能を発揮して、発光ダイオードモジュール３２から発せられる光を更に分散することができる。
【産業上の利用可能性】
【００３３】
上記構成により、本考案は、ランプカバーに複数の通気口を形成することで、発光手段により加熱されたランプカバーの内側の空気を外部に放出することができると共に、発光手段が射出する光を直接に射出しないように中空管状壁で遮蔽するので、ランプカバーが元来備えるべき光の色や角度を調整する機能をも十分に備えているランプカバー及び該ランプカバーを備える照明装置を提供することができる。
【符号の説明】
【００３４】
１  電球式照明装置
１１  口金部
１１１  上端面
１１３  放熱フィン
１２  発光ダイオードモジュール
１３  カバー
１３１  開口縁
２  ランプカバー
２１  中空管状壁
２１１  第１の開口
２１２  第２の開口
２１３  内壁面
２１４  縮径部
２１５  半球面突起
２２  カバー本体
２２１  半球面突起
２３  連結棒
２４  通気口
２５  取り付け用フック
３１  回路基板
３１１  通孔
３２  発光ダイオードモジュール
４１  第１の支持フレーム
４１１  通孔
４１２  係止孔
４２  第２の支持フレーム
４２１  通孔
５  照明器具
Ｌ  軸線
【図１】
0003169871.tif 000003
【図２】
0003169871.tif 000004
【図３】
0003169871.tif 000005
【図４】
0003169871.tif 000006
【図５】
0003169871.tif 000007
【図６】
0003169871.tif 000008
【図７】
0003169871.tif 000009
【図８】
0003169871.tif 000010
【図９】
0003169871.tif 000011
【図１０】
0003169871.tif 000012
【図１１】
0003169871.tif 000013